(57)【要約】      （修正有）【課題】スプリンクラを用いた消火設備では配管内に加圧水が充填されており、火災が発生するとスプリンクラヘッドの感熱部が火災の熱により溶融または破壊され放水が開始される。配管内に大量の空気が入り込むと配管内の圧力低下が生じ、火災でないにもかかわらず放水が開始されてしまう。そこで配管内に空気が滞留することを抑制可能な消火設備を提供する。【解決手段】空気抜き部３６は、管本体３１の中央部上方側面に形成されている。空気抜き部３６には、流路３１Ａと連通した空気抜き口３６Ａが構成されている。空気抜き口３６Ａは上方へ向かって開放され、ここから空気を抜くことができる。止水栓３８は、空気抜き口３６Ａへの挿入、抜き去りができ、挿入時には空気抜き口３６Ａを閉鎖可能とされている。通常時は、止水栓３８は空気抜き部３６に取り付けられて、空気抜き口３６Ａを閉鎖している。空気抜き時には、空気抜き部３６から取り外される。【選択図】図２
2008188416.tif 000002
【特許請求の範囲】
【請求項１】
スプリンクラーヘッドと、このスプリンクラーヘッドよりも上流側で配管が分岐される分岐部と、の間で用いられるスプリンクラー配管用部材であって、
内部に流路の構成された管本体と、
前記管本体の一端側に形成され、前記流路と連通する流入口の構成された流入側接続部と、
前記管本体の他端側に形成され、前記流路と連通する流出口が構成された流出側接続部と、
前記管本体に構成され、前記流路を上方へ向かって開放する空気抜き口の構成された空気抜き部と、
前記空気抜き口を閉鎖可能な止水部材と、
を備えた、スプリンクラー配管用部材。
【請求項２】
前記流出側接続部は、前記スプリンクラーヘッドと接続可能な構成とされていること、を特徴とする請求項１に記載のスプリンクラー配管用部材。
【請求項３】
前記流入側接続部は、前記分岐部の接続部材と接続可能な構成とされていること、を特徴とする請求項１に記載のスプリンクラー配管用部材。
【請求項４】
スプリンクラーヘッドへ向かって消火用水を送る加圧送水装置と、
前記加圧送水装置よりも下流側に配置され、通過する流体の圧力を検知可能な流水検知装置と、
前記流水検知装置よりも下流側に配置され、流入された消火用水を複数のスプリンクラー配管へ分岐配分する分岐部と、
前記スプリンクラーヘッドと前記分岐部との間に配置された請求項１乃至請求項３のいずれか１項に記載のスプリンクラー配管用部材と、
を備えたスプリンクラー消火装置。
【発明の詳細な説明】
【技術分野】
【０００１】
本発明は、スプリンクラーヘッドと分岐ヘッダーとの間で用いられるプリンクラー配管用部材、及び、このスプリンクラー配管用部材を備えた、スプリンクラー消火装置に関するものである。
【背景技術】
【０００２】
スプリンクラーを用いた消火設備は初期消火に非常に効果があり、高層ビル、劇場、デパ−ト等のように消防法で設置が義務づけられている建物のほか、火災の発生し易い場所や一般住宅でも設置が望ましい。通常、湿式のスプリンクラー消火設備は、加圧送水装置（ポンプ）、流水検知装置、スプリンクラーヘッドを備えている（特許文献１、２参照）。そして、配管系統には加圧水が充填されており、火災が発生するとスプリンクラーヘッドの感熱部が火災の熱を受けて溶解または破壊され、シール部分が分解することにより放水が開始される仕組みになっている。シール部分の分解によりスプリンクラーヘッドが開放されて加圧水が放出されると、一旦配管内の圧力が低下する。この圧力低下により、起動用水圧開閉弁が作動し、加圧送水装置が起動して消火水がスプリンクラーヘッドへ送られて放水が開始される。また、放水の開始により流水検知装置の圧力スイッチが作動し、これにより自動火災報知器が作動して火災を表示する。
【０００３】
上記のようなスプリンクラー消火装置において、配管内に大量の空気が入り込んでいると、配管内での圧力低下が生じうる。この圧力低下は加圧送水装置の起動につながることから、火災でないにもかかわらず自動火災報知器が作動してしまうという不都合が生じることがある。
【特許文献１】特開平１０−２６３１０５号公報
【特許文献２】特開平０８−０２４３６０号公報
【発明の開示】
【発明が解決しようとする課題】
【０００４】
ところで、スプリンクラーヘッドは多数の箇所へ設置されることから、上流側からの給水を複数に分岐するスプリンクラー配管用ヘッダーが用いられることがある（特許文献２参照）。そして、スプリンクラー配管用ヘッダーからスプリンクラーヘッドまでは、スプリンクラー配管用ヘッダーで分岐された別配管（スプリンクラー配管）で接続される。前述の空気は、上流側からの給水と共にこのスプリンクラー配管に押し込まれてくるので、スプリンクラー配管用ヘッダーからスプリンクラーヘッドまでの間に空気が滞留しやすい。
【０００５】
本発明は、上記事実に鑑みてなされたものであり、スプリンクラー配管用ヘッダーなどにより構成される分岐部よりも下流側の配管内に空気が滞留することを抑制可能なスプリンクラー配管用部材、及び、このスプリンクラー用配管部材を備えたスプリンクラー消火装置を提供することを課題とする。
【課題を解決するための手段】
【０００６】
上記課題を解決するために、請求項１に記載のスプリンクラー配管用部材は、スプリンクラーヘッドと、このスプリンクラーヘッドよりも上流側で配管が分岐される分岐部と、の間で用いられるスプリンクラー配管用部材であって、  内部に流路の構成された管本体と、前記管本体の一端側に形成され、前記流路と連通する流入口の構成された流入側接続部と、前記管本体の他端側に形成され、前記流路と連通する流出口が構成された流出側接続部と、前記管本体に構成され、前記流路を上方へ向かって開放する空気抜き口の構成された空気抜き部と、前記空気抜き口を閉鎖可能な止水部材と、を備えている。
【０００７】
本発明のスプリンクラー配管用部材は、管本体の内部に流路が構成されており、一端側と他端側に、流入側接続部、流出側接続部が形成されている。そして、空気抜き部に構成された空気抜き口は、流路を上方へ開放する。したがって、空気抜き口を開放状態にしておけば、上流側から水に押されて流入する空気を、この空気抜き口から抜くことができ、配管内への空気の滞留を抑制することができる。空気を抜いた後は、止水部材により空気抜き口を閉鎖して、水が漏れることを防止する。
【０００８】
本発明のスプリンクラー配管用部材は、流入側接続部、流出側接続部を用いて、スプリンクラーヘッドと分岐部との間の配管に介在させることができる。したがって、容易に空気抜きを行うことができる。
【０００９】
なお、ここでの分岐部とは、上流側から送られてきた消化用水が、分散して配置されるスプリンクラーヘッドへ向かって分岐される部分をいい、分岐ヘッダーが配置されていたり、１本の配管から枝分れされた構成とされていたりする部分をいう。
【００１０】
請求項２に記載のスプリンクラー配管用部材は、前記流出側接続部が、前記スプリンクラーヘッドと接続可能な構成とされていること、を特徴とする。
【００１１】
上記構成によれば、スプリンクラー配管用部材をスプリンクラーヘッドの接続継手として用いることができる。
【００１２】
請求項３に記載のスプリンクラー配管用部材は、前記流入側接続部が、前記分岐部の接続部材と接続可能な構成とされていること、を特徴とする。
【００１３】
上記構成によれば、スプリンクラー配管用部材を分岐部の接続部材に接続して用いることができる。
【００１４】
請求項４に記載のスプリンクラー消火装置は、スプリンクラーヘッドへ向かって消火用水を送る加圧送水装置と、前記加圧送水装置よりも下流側に配置され、通過する流体の圧力を検知可能な流水検知装置と、前記流水検知装置よりも下流側に配置され、流入された消火用水を複数のスプリンクラー配管へ分岐配分する分岐部と、前記スプリンクラーヘッドと前記分岐部との間に配置された請求項１乃至請求項３のいずれか１項に記載のスプリンクラー配管用部材と、を備えている。
【００１５】
上記構成のスプリンクラー消火装置によれば、請求項１乃至請求項４３いずれか１項に記載のスプリンクラー配管用部材が、スプリンクラーヘッドと分岐部との間に配置されているので、スプリンクラー配管用部材の空気抜き口から空気を抜くことができ、配管内への空気の滞留を抑制することができる。
【発明の効果】
【００１６】
本発明は上記構成としたので、スプリンクラー配管用ヘッダーよりも下流側の配管内に空気が滞留することを抑制することができる。
【発明を実施するための最良の形態】
【００１７】
以下、本発明を実施するための最良の実施形態について説明する。
【００１８】
［第１実施形態］
本実施形態のスプリンクラー消火装置１０は、図１に示すように、ポンプ１２、送水検知装置１３、一次配管１４、分岐ヘッダー２０、スプリンクラー配管１６、ヘッド取付継手１７、スプリンクラーヘッド１８、スプリンクラー配管用部材３０、及び、止水栓３８を備えている。
【００１９】
ポンプ１２は、消火用水をスプリンクラーヘッド１８側へ向かって送水する機能を有している。送水検知装置１３は、ポンプ１２の下流側に設けられており、ポンプ１２により送水される消火用水の水圧を検知可能とされている。また、送水検知装置１３は、図示しない火災報知器に接続されており、所定以上の水圧を検知すると、火災報知器へ作動信号を送信するようになっている。
【００２０】
送水検知装置１３には、一次配管１４が接続されている。一次配管１４により、消火用水の流路が天井スラブＳ１付近まで持ち上げられている。
【００２１】
分岐ヘッダー２０は、天井スラブＳ１と天井部材Ｓ２との間に配置され、天井スラブＳ１に固定された保持部材１５により保持されている。
【００２２】
分岐ヘッダー２０には、複数のスプリンクラー配管１６が接続されている。スプリンクラー配管１６は、消火用水を複数のスプリンクラーヘッド１８へ分岐するための配管であり、スプリンクラー配管用部材３０及びヘッド取付継手１７を介してスプリンクラーヘッド１８と接続されている。
【００２３】
スプリンクラーヘッド１８は、散水口を下側に向けて天井部材Ｓ２を貫通するように取り付けられており、天井部材Ｓ２から下側へ消火用水を放水可能とされている。
【００２４】
スプリンクラー配管用部材３０は、図２に示すように、管本体３１、流入側接続部３２、流出側接続部３４、及び、空気抜き部３６を備えている。管本体３１は管状とされ、内部に流路３１Ａが構成されている。
【００２５】
流入側接続部３２は、管本体３１の一端側（上流側）に形成されている。流入側接続部３２は、スプリンクラー配管１６の一端と接続可能とされている。接続部分の構成としては、ねじ式の構成、ワンプッシュ接続継手の構成など、各種の構成を採用することができる。流入側接続部３２には、流路３１Ａと連通された流入口３２Ａが構成され、流入口３２Ａから消火用水が流入される。
【００２６】
流出側接続部３４は、管本体３１の他端側（下流側）に形成されている。流出側接続部３４は、ヘッド取付継手１７の一端と接続可能とされている。接続部分の構成としては、ねじ式の構成、ワンプッシュ接続継手の構成など、各種の構成を採用することができる。流出側接続部３４には、流路３１Ａと連通された流出口３４Ａが構成され、流出口３４Ａから消火用水が流出される。
【００２７】
空気抜き部３６は、管本体３１の中央部上方側面に形成されている。空気抜き部３６には、流路３１Ａと連通した空気抜き口３６Ａが構成されている。空気抜き口３６Ａは上方へ向かって開放され、ここから空気を抜くことができる。
【００２８】
止水栓３８は、空気抜き口３６Ａへの挿入、抜き去りができ、挿入時には空気抜き口３６Ａを閉鎖可能とされている。通常時は、止水栓３８は空気抜き部３６に取り付けられて、空気抜き口３６Ａを閉鎖している。空気抜き時には、空気抜き部３６から取り外される。
【００２９】
ヘッド取付継手１７は、Ｌ字状とされ、内部に流路１７Ａが構成されている。ヘッド取付継手１７の一端１７Ｂは、スプリンクラー配管用部材３０の流出側接続部３４と接続されている。また、ヘッド取付継手１７の他端１７Ｃは、スプリンクラーヘッド１８と接続されている。ヘッド取付継手１７のＬ字の屈曲部分には、ブラケット４０が取り付けられている。ブラケット４０の上側は、天井スラブＳ１に固定され、ブラケット４０によりヘッド取付継手１７は天井スラブＳ１に固定されている。
【００３０】
スプリンクラー配管用部材３０は、分岐ヘッダー２０から下流側の配管経路中で、最も高い位置に配置されている。これにより、スプリンクラー配管用部材３０の管本体３１の中央部上方側面に形成された空気抜き口３６Ａが、前記配管経路中で最も高い位置に配置され、空気抜きを良好に行うことができる。
【００３１】
次に、本実施形態での空気抜きについて説明する。
【００３２】
空気抜きの際には、止水栓３８を空気抜き部３６から取り外す。そして、ポンプ１２側からスプリンクラーヘッド１８へ向かって水を送る。これにより、消火用水は、分岐ヘッダー２０、スプリンクラー配管１６、スプリンクラー配管用部材３０、ヘッド取付継手１７を経てスプリンクラーヘッド１８へ至る。
【００３３】
このとき、上流側から押し出されてスプリンクラー配管１６へ入り込んだ空気は、上方に開放された空気抜き口３６Ａから外部へ排出される。これにより、スプリンクラーヘッド１８とスプリンクラー配管１６との間に滞留する空気を少なくすることができる。
【００３４】
本実施形態によれば、スプリンクラー配管用部材３０の空気抜き口３６Ａを用いて、空気抜きを行うことができ、スプリンクラーヘッド１８と分岐ヘッダー２０との間への空気の入り込みを抑制することができる。
【００３５】
なお、本実施形態のスプリンクラー配管用部材３０としては、３方分岐のコネクターを用いることができる。
【００３６】
また、本実施形態では、分岐ヘッダー２０を用いて配管を分岐する例について説明したが、図５に示すように、分岐ヘッダー２０に代えて、一本の配管４２から分岐させる分岐部４０構造とすることもできる。
【００３７】
［第２実施形態］
次に、本発明の第２実施形態について説明する。本実施形態では、第１実施形態と同様の部分については、同様の符号を付して、その詳細な説明は省略する。
【００３８】
本実施形態のスプリンクラー消火装置４８は、図３に示すように、ポンプ１２、送水検知装置１３、一次配管１４、分岐ヘッダー２０、スプリンクラー配管１６、ヘッド取付継手１９、スプリンクラーヘッド１８、スプリンクラー配管用部材５０、及び、止水栓５８を備えている。
【００３９】
スプリンクラー配管用部材５０は、図４に示すように、管本体５１、流入側接続部５２、流出側接続部５４、及び、空気抜き部５６を備えている。管本体５１はＬ字状に屈曲された管で構成され、内部に流路５１Ａが構成されている。
【００４０】
流入側接続部５２は、管本体５１の一端側（上流側）に形成されている。流入側接続部５２は、スプリンクラー配管１６の一端と接続可能とされている。接続部分の構成としては、ねじ式の構成、ワンプッシュ接続継手の構成など、各種の構成を採用することができる。流入側接続部５２には、流路５１Ａと連通された流入口５２Ａが構成され、流入口５２Ａから消火用水が流入される。
【００４１】
流出側接続部５４は、管本体５１の他端側（下流側）に形成されている。流出側接続部５４は、ヘッド取付継手１９の一端と接続可能とされている。接続部分の構成としては、ねじ式の構成、ワンプッシュ接続継手の構成など、各種の構成を採用することができる。流出側接続部５４には、流路５１Ａと連通された流出口５４Ａが構成され、流出口５４Ａから消火用水が流出される。
【００４２】
空気抜き部５６は、管本体５１の上方側面に形成されている。空気抜き部５６には、流路５１Ａと連通した空気抜き口５６Ａが構成されている。空気抜き口５６Ａは上方へ向かって開放され、ここから空気を抜くことができる。
【００４３】
止水栓５８は、空気抜き口５６Ａへの挿入、抜き去りができ、挿入時には空気抜き口５６Ａを閉鎖可能とされている。通常時は、止水栓５８は空気抜き部５６に取り付けられて、空気抜き口３６Ａを閉鎖している。空気抜き時には、空気抜き部５６から取り外される。
【００４４】
ヘッド取付継手１９は、直線状とされ、内部に流路１９Ａが構成されている。ヘッド取付継手１９の一端１９Ｂは、スプリンクラー配管用部材５０の流出側接続部５４と接続されている。また、ヘッド取付継手１９の他端１９Ｃは、スプリンクラーヘッド１８と接続されている。
【００４５】
次に、本実施形態での空気抜きについて説明する。
【００４６】
空気抜きの際には、止水栓５８を空気抜き部５６から取り外す。そして、ポンプ１２側からスプリンクラーヘッド１８へ向かって水を送る。これにより、消火用水は、分岐ヘッダー２０、スプリンクラー配管１６、スプリンクラー配管用部材５０、ヘッド取付継手１９を経てスプリンクラーヘッド１８へ至る。
【００４７】
このとき、上流側から押し出されてスプリンクラー配管１６へ入り込んだ空気は、上方に開放された空気抜き口５６Ａから外部へ排出される。これにより、スプリンクラーヘッド１８とスプリンクラー配管１６との間に滞留する空気を少なくすることができる。
【００４８】
本実施形態においても、スプリンクラー配管用部材５０の空気抜き口５６Ａを用いて、空気抜きを行うことができ、スプリンクラーヘッド１８と分岐ヘッダー２０との間への空気の入り込みを抑制することができる。
【図面の簡単な説明】
【００４９】
【図１】第１実施形態のスプリンクラー消火装置の概略構成を示す図である。
【図２】第１実施形態のスプリンクラー配管用部材の概略構成を示す図である。
【図３】第２実施形態のスプリンクラー消火装置の概略構成を示す図である。
【図４】第２実施形態のスプリンクラー配管用部材の概略構成を示す図である。
【図５】第１実施形態のスプリンクラー配管用部材の概略構成を示す図である。
【符号の説明】
【００５０】
１０ スプリンクラー消火装置
１２ ポンプ
１３ 送水検知装置
１４ 一次配管
１６ スプリンクラー配管
１７ ヘッド取付継手
１８ スプリンクラーヘッド
１９ ヘッド取付継手
２０ 分岐ヘッダー
３０ スプリンクラー配管用部材
３１ 管本体
３１Ａ 流路
３２Ａ 流入口
３２ 流入側接続部
３４Ａ 流出口
３４ 流出側接続部
３６Ａ 空気抜き口
３６ 空気抜き部
３８ 止水栓
４８ スプリンクラー消火装置
５０ スプリンクラー配管用部材
５１ 管本体
５１Ａ 流路
５２Ａ 流入口
５２ 流入側接続部
５４Ａ 流出口
５４ 流出側接続部
５６Ａ 空気抜き口
５６ 空気抜き部
５８ 止水栓
【図１】
2008188416.tif 000003
【図２】
2008188416.tif 000004
【図３】
2008188416.tif 000005
【図４】
2008188416.tif 000006
【図５】
2008188416.tif 000007